(57)【要約】【課題】複数のカードをまとめて、効率的かつ的確に管理するためのカード媒体及びカード利用処理方法を提供する。【解決手段】券面ディスプレイ１７と、複数種類のカードの券面画像を含む個別カード情報を記憶したカード管理メモリ１２と、外部インターフェースに接続された制御部１１を備えたカード媒体１０を用いる。そして、制御部１１が、利用対象のカード種類を特定し、外部インターフェースを介して、カード種類の個別カード情報を出力する場合、個別カード情報の券面画像を券面ディスプレイ１７に出力する。【選択図】図１
2019139811.tif 000002
【特許請求の範囲】
【請求項１】
ディスプレイと、
複数種類のカードのカード番号表示を含む表面画像及びセキュリティコード表示を含む裏面画像からなる券面画像を含む個別カード情報を記憶したメモリと、
カード発行機関から発行されている通常カードに対応した位置に配置された外部インターフェースに接続された制御部を備えたカード媒体であって、
前記ディスプレイは、前記外部インターフェースの周囲を囲み、前記外部インターフェース以外の全面領域に配置されており、表面側の第１ディスプレイと、裏面側の第２ディスプレイから構成され、
前記制御部が、
利用対象のカード種類を特定し、
前記外部インターフェースを介して、前記カード種類の個別カード情報を出力する場合、前記個別カード情報の表面画像を前記第１ディスプレイに表示し、前記個別カード情報の裏面画像を前記第２ディスプレイに出力することを特徴とするカード媒体。
【請求項２】
更に操作部を備え、前記操作部を用いて指定されたカード種類を特定することを特徴とする請求項１に記載のカード媒体。
【請求項３】
前記カード媒体と通信手段を介して接続されたユーザ端末において指定されたカード種類に関する情報を取得することを特徴とする請求項１又は２に記載のカード媒体。
【請求項４】
前記個別カード情報に関連付けて、利用回数を記録しておき、
利用回数が多いカード種類の優先順位を高くすることを特徴とする請求項１〜３のいずれか一項に記載のカード媒体。
【請求項５】
ディスプレイと、
複数種類のカードのカード番号表示を含む表面画像及びセキュリティコード表示を含む裏面画像からなる券面画像を含む個別カード情報を記憶したメモリと、
カード発行機関から発行されている通常カードに対応した位置に配置された外部インターフェースに接続された制御部を備えたカード媒体を用いたカード利用処理方法であって、
前記ディスプレイは、前記外部インターフェースの周囲を囲み、前記外部インターフェース以外の全面領域に配置されており、表面側の第１ディスプレイと、裏面側の第２ディスプレイから構成され、
前記制御部が、
利用対象のカード種類を特定し、
前記外部インターフェースを介して、前記カード種類の個別カード情報を出力する場合、前記個別カード情報の表面画像を前記第１ディスプレイに表示し、前記個別カード情報の裏面画像を前記第２ディスプレイに出力することを特徴とするカード利用処理方法。
【発明の詳細な説明】
【技術分野】
【０００１】
本発明は、複数のカードをまとめて管理するためのカード媒体及びカード利用処理方法に関する。
【背景技術】
【０００２】
今日、キャッシュカードやクレジットカード等、１人で複数のカードを所有していることが多い。所有しているカード枚数が多い場合、すべてのカードを携帯することは煩わしい。そこで、複数のクレジットカード又はポイントカードを統括して管理することによって、一枚のクレジットカード又はポイントカードを用意するだけで、多数の店舗で商取引できるようにしたカードの統括管理システムが検討されている（例えば、特許文献１を参照。）。この文献に記載された技術では、カードの統括管理システムを管理する管理会社に設けられたサーバコンピュータは各グループに所属するクレジットカードを識別して記憶するメモリを有する。自己のグループが管理するクレジットカードを用いて、自己のグループが管理する店舗で商取引をした場合に、サーバコンピュータは当該店舗に対して当該システム使用料金を管理会社へ支払うように管理する。一方、自己のグループが管理するクレジットカードを用いて、他のグループが管理する店舗で商取引をした場合に、サーバコンピュータは当該他の店舗に対して当該システム使用料金の他に、特別手数料を管理会社へ支払うように管理する。
【０００３】
また、複数の機関において登録された会員を特定できるようにするとともに、個人情報を保護するための利用者特定情報記録媒体が検討されている（例えば、特許文献２を参照。）。この文献に記載された技術では、利用者管理システムのカードリーダが、ＩＣカードを検知した場合、機関識別情報の提供処理を実行し、ＩＣカードの制御部は、機関識別情報の表示処理を実行する。そして、接続先は民間機関と判定した場合、ＩＣカードの制御部は、機関識別情報及び固有番号から会員番号を生成し、会員番号の提供処理を実行する。一方、接続先は公的機関と判定した場合、ＩＣカードの制御部は、固有番号の提供処理を実行する。
【先行技術文献】
【特許文献】
【０００４】
【特許文献１】特開２０１０−２７２０５６号公報
【特許文献２】特開２０１３−１９６３０１号公報
【発明の概要】
【発明が解決しようとする課題】
【０００５】
しかしながら、特許文献１に記載された技術においては、カード利用時にサーバへのアクセスが必要である。この場合、既存のクレジットカード等と同様に利用することが困難である。また、特許文献２記載された技術においては、カードリーダとの通信に基づいて、提供するカード情報を特定する。この場合にも、既存のカードシステムをそのまま利用することができず、新たなカードシステムの構築が必要となる。
【０００６】
更に、金融機関や商店等、多様な場面でカードが利用される。この利用場面では、カード媒体をカードリーダにより読み取らせるユーザや金融機関の社員、店員が、既存のカードと同様に、カードの種類を的確に判断できることが必要である。
【０００７】
本発明は、上記課題を解決するためになされたものであり、その目的は、複数のカードをまとめて、効率的かつ的確に管理するためのカード媒体及びカード利用処理方法を提供することにある。
【課題を解決するための手段】
【０００８】
（１）上記課題を解決するカード媒体は、ディスプレイと、複数種類のカードの券面画像を含む個別カード情報を記憶したメモリと、外部インターフェースに接続された制御部を備えることが好ましい。そして、前記制御部が、利用対象のカード種類を特定し、前記外部インターフェースを介して、前記カード種類の個別カード情報を出力する場合、前記個別カード情報の券面画像をディスプレイに出力する。これにより、一枚のカード媒体において、券面画像を確認しながら、複数種類のカードを利用することができる。
【０００９】
（２）上記カード媒体において、更に操作部を備え、前記操作部を用いて指定されたカード種類を特定することが好ましい。これにより、カード媒体を用いての操作により、カード種類を変更することができる。
【００１０】
（３）上記カード媒体において、前記カード媒体と通信手段を介して接続されたユーザ端末において指定されたカード種類に関する情報を取得することが好ましい。これにより、ユーザ端末を用いて、カード種類に関する情報を取得することができる。
（４）上記カード媒体において、前記個別カード情報に関連付けて、利用回数を記録しておき、利用回数が多いカード種類の優先順位を高くすることが好ましい。これにより、利用の可能性が高いカードを優先的に特定することができる。
【００１１】
（５）上記課題を解決するカード利用処理方法は、ディスプレイと、複数種類のカードの券面画像を含む個別カード情報を記憶したメモリと、外部インターフェースに接続された制御部を備えたカード媒体を用いる。そして、前記制御部が、利用対象のカード種類を特定し、前記外部インターフェースを介して、前記カード種類の個別カード情報を出力する場合、前記個別カード情報の券面画像をディスプレイに出力する。これにより、一枚のカード媒体において、券面画像を確認しながら、複数種類のカードを利用することができる。
【発明の効果】
【００１２】
本発明によれば、複数のカードをまとめて、効率的かつ的確に管理するためのカード媒体及びカード利用処理方法を提供することができる。
【図面の簡単な説明】
【００１３】
【図１】第１の実施形態のシステム概略図。
【図２】第１の実施形態のカード媒体の説明図であって、（ａ）は斜視図及び断面拡大図、（ｂ）は表面側の説明図、（ｃ）は裏面側の説明図。
【図３】第１の実施形態のシステムの説明図。
【図４】第１の実施形態の処理手順の説明図。
【図５】第１の実施形態の処理手順の説明図。
【図６】第１の実施形態の券面変更の説明図であって、（ａ）は表面側、（ｂ）は裏面側の説明図。
【図７】第２の実施形態の処理手順の説明図。
【図８】第３の実施形態の処理手順の説明図。
【発明を実施するための形態】
【００１４】
＜第１の実施形態＞
以下、本発明を具体化した一実施形態を、図１〜図６を用いて説明する。本実施形態では、一枚のカード媒体を用いて、カード発行機関から発行されている通常のカードとして用いることができるマルチカードサービスを提供する場合を想定する。一枚のカードを、例えば、金融機関から提供されるキャッシュカード、クレジットカード、デビットカード、交通機関から提供される交通機関カード、商店から提供されるポイントカード等として用いることができる。
【００１５】
図１に示すように、カード媒体１０は、制御部１１、カード管理メモリ１２、電源１３を備えている。更に、カード媒体１０は、ＩＣチップ電極１４、磁気ストライプ１５、操作部１６、券面ディスプレイ１７、アンテナ１８を備えている。
【００１６】
制御部１１は、後述するカード管理メモリ１２に記録されているカード情報の出力制御を行なう。本実施形態では、券面ディスプレイ１７における画像出力や、外部インターフェースを介しての情報出力を制御する。この制御部１１は、現在利用可能な特定のカード種類（カレントカード）に関する情報を保持するメモリを備える。
【００１７】
カード管理メモリ１２は、このカード媒体１０の利用時に必要な各種情報を記憶する。このカード管理メモリ１２において記憶されている情報の詳細については、後述する。
電源１３は、制御部１１に電力を供給する。
ＩＣチップ電極１４は、接触型のＩＣカードリーダに対して、カード管理メモリ１２に記録されているカード情報を提供する外部インターフェースとして機能する。
【００１８】
磁気ストライプ１５は、磁気ストライプリーダに対して、カード管理メモリ１２に記録されているカード情報を提供する外部インターフェースとして機能する。
操作部１６は、ユーザの操作を検知して、検知信号を制御部１１に供給する。本実施形態では、操作部１６は、圧力センサにより構成され、押下された圧力を検知する。そして、操作部１６は、圧力検知信号を制御部１１に供給する。
【００１９】
券面ディスプレイ１７は、カード媒体１０の表面及び裏面において、カード情報（カード画像）の表示を行なう。本実施形態では、券面ディスプレイ１７は、後述するように、表面側及び裏面側の２つのディスプレイから構成される。本実施形態では、券面ディスプレイ１７として、電子ペーパー型のディスプレイを用いる。この電子ペーパー型のディスプレイにおいては、電圧を印加することにより表示変更を行なうことができ、電圧を停止した後も表示状態を所定期間、維持することができる。
アンテナ１８は、非接触型のＩＣカードリーダに対して、カード管理メモリ１２に記録されているカード情報を提供する外部インターフェースとして機能する。
【００２０】
次に、カード管理メモリ１２に記録される情報の詳細を説明する。
このカード管理メモリ１２には、このカード媒体１０を特定するためのカード識別子に関するデータを保持している。
【００２１】
更に、カード管理メモリ１２には、このカード媒体１０を用いるカードの種類に応じて、それぞれのカード情報（個別カード情報）が記録される。この個別カード情報は、発行機関、券面画像、ＩＣ保持情報、磁気ストライプ保持情報に関するデータを含んでいる。
【００２２】
発行機関データ領域には、このカードを発行した機関を特定するための識別子に関するデータが記録される。発行機関としては、キャッシュカードやクレジットカードを発行する金融機関や、交通機関カードを発行する交通機関、ポイント制度を提供している商店等がある。
【００２３】
券面画像データ領域には、第１，第２ディスプレイに表示させる画像データが記録される。この券面画像は、カード発行機関から提供されているプラスチックカード（通常カード）の券面に印字されている絵柄や情報（発行者、カード番号、国際ブランド等）を表示するためのデータである。
【００２４】
ＩＣ保持情報データ領域には、発行機関の通常カード（ＩＣカード）において、ＩＣチップに記録されているカード情報（カード番号等）が記録されている。
磁気ストライプ保持情報データ領域には、発行機関の通常カード（磁気ストライプカード）において、磁気ストライプ領域に記録されているカード情報（カード番号等）が記録されている。
【００２５】
図２（ａ）は、カード媒体１０の斜視図及び断面拡大図である。カード媒体１０は、表面側に設けられた第１ディスプレイ１０１及び裏面側に設けられた第２ディスプレイ１０２を備える。第１ディスプレイ１０１と第２ディスプレイ１０２との間には、中間層１０３が設けられている。この中間層１０３には、薄層の制御部１１、カード管理メモリ１２、電源１３、磁気ストライプ１５、操作部１６、アンテナ１８が埋め込まれている。
【００２６】
図２（ｂ）は、カード媒体１０の表面側の正面図である。この表面側には、ＩＣチップ電極１４が設けられている。そして、ＩＣチップ電極１４の配置場所以外の領域は第１ディスプレイ１０１の表示面を構成している。この表示面には、発行者表示領域ａ１、カード番号表示領域ａ２、国際ブランド表示領域ａ３が設けられている。カード管理メモリ１２において、個別カード情報の券面画像データ領域に、各表示領域（ａ１〜ａ３）に対応して、発行者、カード番号、国際ブランドに関するデータが表示される。
発行者表示領域ａ１には、このカードの発行者に関するデータが表示される。
カード番号表示領域ａ２には、このカードを識別するためのカード番号が表示される。
国際ブランド表示領域ａ３には、クレジットカードにおいて、国際的に通用するブランドを示す情報が表示される。
【００２７】
また、本実施形態では、国際ブランド表示領域ａ３の直下の中間層１０３に操作部１６を設けておく。なお、操作部１６の位置は、この領域に限定されるものではなく、ユーザが位置を把握できる領域であればよい。
【００２８】
図２（ｃ）は、カード媒体１０の裏面側の正面図である。この裏面側の領域は、全面において第２ディスプレイ１０２の表示面を構成している。更に、この裏面側において、中間層１０３に埋め込まれた磁気ストライプ１５が表示されている。更に、第２ディスプレイ１０２には、セキュリティコード表示領域ｂ１、海外ＡＴＭネットワーク表示領域ｂ２が設けられている。カード管理メモリ１２において、個別カード情報の券面画像データ領域に、各表示領域（ｂ１、ｂ２）に対応して、セキュリティコード、海外ＡＴＭネットワークに関するデータが表示される。
セキュリティコード表示領域ｂ１には、クレジットカードやデビットカードの不正使用防止のため利用される特殊なコードが表示される。
海外ＡＴＭネットワーク表示領域ｂ２には、国際キャッシュカードにおいて、預金を現地通貨で引き出せるサービスを提供する運営機関を示す情報が表示される。
【００２９】
次に、カード媒体１０の使用方法について説明する。ここでは、カード登録処理（図３、図４）、カード利用処理（図５、図６）の順番に説明する。
（カード登録処理）
まず、図３、図４を用いてカード登録処理を説明する。
図３に示すように、この処理においては、カード発行機関サーバＣ１、管理サーバ２０、カード登録端末３０を用いる。
【００３０】
カード発行機関サーバＣ１は、カード発行機関が管理するコンピュータシステムである。
管理サーバ２０は、マルチカードサービスの提供機関が管理するコンピュータシステムである。この管理サーバ２０は、制御部２１、ユーザ情報記憶部２２、カード情報記憶部２３を備えている。
【００３１】
制御部２１は、カード発行機関サーバＣ１からの利用申請を受け付けて、個別カード情報を登録する処理を実行する。
ユーザ情報記憶部２２には、カード媒体１０のユーザを管理するためのユーザ管理データ２２０が記録される。このユーザ管理データは、ユーザ登録が行なわれた場合に記録される。ユーザ管理データ２２０には、ユーザコード、パスワード、カード識別子に関するデータが記録されている。
【００３２】
ユーザコードデータ領域には、各ユーザを特定するための識別子に関するデータが記録されている。
パスワードデータ領域には、ユーザを認証するためのパスワードに関するデータが記録されている。
カード識別子データ領域には、このユーザが所有しているカード媒体１０を特定するための識別子に関するデータが記録されている。
【００３３】
カード情報記憶部２３には、カード媒体１０に記録するカードデータ２３０が記録される。カードデータ２３０は、利用申請が行なわれた場合に記録される。カードデータ２３０には、カード識別子、個別カード情報、ステータスに関するデータが記録される。
【００３４】
カード識別子データ領域には、各カード媒体１０を特定するための識別子に関するデータが記録されている。
個別カード情報データ領域には、発行機関、券面画像、ＩＣ記憶情報、磁気ストライプ記憶情報に関するデータが記録される。
【００３５】
ステータスデータ領域には、カード媒体１０に対して、この個別カード情報のダウンロード状態を特定するためのデータが記録される。まだ、カード媒体１０に対して、個別カード情報をダウンロードしていない場合には、「未提供」フラグが記録される。カード媒体１０に対して、個別カード情報をダウンロードした場合には、ダウンロード日時に関するデータが記録される。
【００３６】
カード登録端末３０は、ネットワークを介して、管理サーバ２０に接続される。このカード登録端末３０は、ユーザが所有しているカード媒体１０に、個別カード情報を書き込む場合に用いられる。このカード登録端末３０は、カード媒体１０から情報を読み出し、情報を書き込むためのカードリーダ・ライタを備える。更に、カード登録端末３０は、情報を表示したり、入力したりするためのタッチパネルディスプレイを備えている。
【００３７】
次に、図４を用いてカード登録処理の処理手順を説明する。
まず、管理サーバ２０の制御部２１は、利用申請の受付処理を実行する（ステップＳ１−１）。具体的には、マルチカードを利用する場合、ユーザはカード発行機関に対して、マルチカードサービスの利用依頼を提出する。この利用依頼には、ユーザが所有しているカード媒体１０のカード識別子を含める。利用依頼がカード発行機関サーバＣ１に登録された場合、カード発行機関サーバＣ１は、管理サーバ２０に対して、利用申請情報を送信する。この利用申請情報には、ユーザから取得したカード識別子に関するデータを含める。更に、利用申請情報には、個別カード情報に関するデータを含める。この個別カード情報は、カード発行機関がユーザに提供する通常カードにおいて印字し、記録する情報である。そして、管理サーバ２０の制御部２１は、カード発行機関サーバＣ１から利用申請情報を取得する。
【００３８】
次に、管理サーバ２０の制御部２１は、利用登録処理を実行する（ステップＳ１−２）。具体的には、制御部２１は、利用申請に含まれるカード識別子、個別カード情報に関するデータを記録したカードデータ２３０を生成し、カード情報記憶部２３に記録する。この場合、ステータスデータ領域には、「未提供」フラグを記録する。
【００３９】
そして、ユーザがカード媒体１０に個別カード情報の記録を希望する場合には、カード登録端末３０にカード媒体１０を挿入する。
この場合、カード登録端末３０は、登録依頼処理を実行する（ステップＳ１−３）。具体的には、カード登録端末３０は、タッチパネルディスプレイに認証画面を出力する。この認証画面には、ユーザコード及びパスワードの入力欄が設けられている。この入力欄にユーザコード及びパスワードが入力された場合、カード登録端末３０は、登録依頼を管理サーバ２０に送信する。この登録依頼には、入力されたユーザコード及びパスワードに関するデータを含める。
【００４０】
次に、管理サーバ２０の制御部２１は、ユーザ認証処理を実行する（ステップＳ１−４）。具体的には、制御部２１は、カード登録端末３０から取得したユーザコード及びパスワードが、ユーザ情報記憶部２２に登録されているかどうかを確認する。ユーザコード及びパスワードがユーザ情報記憶部２２に登録されておらず、ユーザ認証できなかった場合には、制御部２１は、カードの登録依頼を拒否する。ユーザコード及びパスワードがユーザ情報記憶部２２に登録されている場合には、ユーザ認証を完了する。この場合、管理サーバ２０の制御部２１は、ユーザ認証完了通知を、カード登録端末３０に送信する。
【００４１】
ユーザ認証完了通知を取得したカード登録端末３０は、カードアクセス処理を実行する（ステップＳ１−５）。具体的には、カード登録端末３０は、タッチパネルディスプレイに、カード媒体１０の挿入を指示する。そして、カード登録端末３０は、挿入されたカード媒体１０から読み取ったカード識別子を管理サーバ２０に送信する。
【００４２】
次に、管理サーバ２０の制御部２１は、ダウンロード処理を実行する（ステップＳ１−６）。具体的には、制御部２１は、ユーザ認証されたユーザ管理データ２２０に記録されたカード識別子と、カード登録端末３０から取得したカード識別子とを照合する。両者が一致した場合には、制御部２１は、カード識別子に関連付けられ、未提供フラグが記録されたカードデータ２３０を、カード情報記憶部２３から抽出する。そして、制御部２１は、抽出したカードデータ２３０に記録されている個別カード情報をカード登録端末３０に送信する。この場合、制御部２１は、カードデータ２３０のステータスデータ領域に現在日時を上書き記録する。
【００４３】
次に、カード登録端末３０は、書き込み処理を実行する（ステップＳ１−７）。具体的には、カード登録端末３０は、管理サーバ２０から取得した個別カード情報を、カード媒体１０のカード管理メモリ１２に追加記録する。
【００４４】
（カード利用処理）
次に、図５を用いて、カード利用処理の処理手順を説明する。この処理は、ユーザの指示に応じて、商店等に設置されたカードリーダにおいて、カード媒体１０を読み取らせる前に行なわれる。
【００４５】
まず、カード媒体１０の制御部１１は、ユーザ操作の検知処理を実行する（ステップＳ２−１）。具体的には、カードを利用する場合、カード保持者は、操作部１６を押下する。この場合、制御部１１は、操作部１６から取得した圧力検知信号に基づいて、ユーザの押下操作を検知する。
【００４６】
次に、カード媒体１０の制御部１１は、カード種類の特定処理を実行する（ステップＳ２−２）。具体的には、制御部１１は、メモリに記録されているカレントカードを特定する。そして、制御部１１は、カード管理メモリ１２を用いて、カレントカードの次に記録されているカード種類（個別カード情報）を特定する。例えば、カレントカードのカード番号の次の順番の個別カード情報のカード種類を特定する。
【００４７】
次に、カード媒体１０の制御部１１は、券面画像の呼び出し処理を実行する（ステップＳ２−３）。具体的には、制御部１１は、カード管理メモリ１２から、特定した個別カード情報の券面画像を取得する。
【００４８】
次に、カード媒体１０の制御部１１は、券面変更処理を実行する（ステップＳ２−４）。具体的には、制御部１１は、呼び出した券面画面を、第１，第２ディスプレイに出力する。
【００４９】
ここで、図６を用いて、表面及び裏面の表示状態の変更を説明する。ここでは、カード利用処理前には、表面及び裏面が白紙面となっている場合を想定する。この場合、表面側においては、図６（ａ）に示すように、白紙面から表面画像に変化する。裏面側においては、図６（ｂ）に示すように、白紙面から裏面画像に変化する。
【００５０】
次に、カード媒体１０の制御部１１は、出力データ変更処理を実行する（ステップＳ２−５）。具体的には、制御部１１は、呼び出した個別カード情報にＩＣ情報が含まれる場合には、ＩＣチップ電極１４においてＩＣ保持情報を出力できるように出力制御を行なう。また、呼び出した個別カード情報に磁気ストライプ情報が含まれる場合には、磁気ストライプ１５において磁気ストライプ保持情報を出力できるように出力制御を行なう。
【００５１】
本実施形態によれば、以下のような効果を得ることができる。
（１）本実施形態においては、カード管理メモリ１２には、このカード媒体１０を用いるカードの種類に応じて、それぞれのカード情報（個別カード情報）が記録される。そして、カード媒体１０の制御部１１は、カード種類の特定処理（ステップＳ２−２）、券面画像の呼び出し処理（ステップＳ２−３）、券面変更処理（ステップＳ２−４）を実行する。これにより、一枚のカード媒体１０を用いて、複数のカードの態様を表示させることができる。この場合、カード種類に応じて、券面が変更されるので、通常カードと同様にカード種類を確認して利用することができる。
【００５２】
（２）本実施形態においては、カード媒体１０の制御部１１は、出力データ変更処理を実行する（ステップＳ２−５）。これにより、カードリーダにおいて、一枚のカード媒体１０を、複数のカードとして利用することができる。
【００５３】
（３）本実施形態においては、管理サーバ２０の制御部２１は、ユーザ認証処理を実行する（ステップＳ１−４）。次に、ユーザ認証完了通知を取得したカード登録端末３０は、カードアクセス処理を実行する（ステップＳ１−５）。そして、管理サーバ２０の制御部２１は、ダウンロード処理を実行する（ステップＳ１−６）。これにより、カード所持者を認証して、カード情報を提供することができる。
【００５４】
＜第２の実施形態＞
次に、図７に従って、第２の実施形態を説明する。上記第１の実施形態においては、操作部１６を用いて、カード種類を変更した。第２の実施形態においては、カード名義人のユーザ端末４０を用いて、カード種類を変更する場合を説明する。ユーザ端末４０としては、スマートフォンや、タブレット端末、ＰＣ端末を利用することができる。この場合には、ユーザ端末４０とカード媒体１０とが通信を行なう。更に、ユーザ端末４０には、カード利用アプリケーションプログラムを格納しておく。そして、このカード利用アプリケーションプログラムを実行することにより、ユーザ端末４０の制御部が、カード処理部として機能する。このカード処理部は、ユーザが所有しているカード媒体１０のカード識別子、及びユーザが所有しているカード種類に関するデータを保持している。
【００５５】
次に、図７を用いて、カード利用処理の処理手順を説明する。
（カード利用処理）
まず、ユーザ端末４０は、アクセス処理を実行する（ステップＳ３−１）。具体的には、ユーザ端末４０のカード処理部は、無線通信を介して、カード媒体１０にアクセスする。
【００５６】
この場合、カード媒体１０の制御部１１は、カード識別子の提供処理を実行する（ステップＳ３−２）。具体的には、制御部１１は、カード管理メモリ１２に記録されているカード識別子を、ユーザ端末４０に送信する。
【００５７】
ユーザ端末４０は、認証完了かどうかについての判定処理を実行する（ステップＳ３−３）。具体的には、ユーザ端末４０のカード処理部は、予め保持しているカード識別子と、カード媒体１０から取得したカード識別子とを比較する。両者が一致した場合には、認証完了と判定する。
【００５８】
カード識別子が一致せず、認証できないと判定した場合（ステップＳ３−３において「ＮＯ」の場合）、ユーザ端末４０は、注意喚起処理を実行する（ステップＳ３−４）。具体的には、ユーザ端末４０のカード処理部は、カード媒体１０に対して認証できなかったことを示す認証不可信号を送信する。
【００５９】
認証不可信号を受信したカード媒体１０の制御部１１は、メッセージ出力処理を実行する（ステップＳ３−５）。具体的には、カード媒体１０の制御部１１は、券面ディスプレイ１７において、このカード媒体１０は利用できないことを示すメッセージを出力する。
【００６０】
一方、カード識別子が一致し、認証完了と判定した場合（ステップＳ３−４において「ＹＥＳ」の場合）、ユーザ端末４０は、カード種類の特定処理を実行する（ステップＳ３−６）。具体的には、ユーザ端末４０のカード処理部は、予め記憶しているカード種類をディスプレイに出力する。そして、ユーザは、ディスプレイに表示されたカード種類において、所望のカード種類を指定する。ユーザ端末４０のカード処理部は、指定されたカード種類を特定する。
【００６１】
次に、ユーザ端末４０は、カード種類の指示処理を実行する（ステップＳ３−７）。具体的には、ユーザ端末４０のカード処理部は、カード媒体１０に対して、指定されたカード種類に関するデータを送信する。
【００６２】
次に、カード媒体１０の制御部１１は、ステップＳ２−３〜Ｓ２−５と同様に、券面画像の呼び出し処理（ステップＳ３−８）、券面変更処理（ステップＳ３−９）、出力データ変更処理（ステップＳ３−１０）を実行する。
【００６３】
本実施形態によれば、以下のような効果を得ることができる。
（４）本実施形態においては、カード識別子が一致し、認証完了と判定した場合（ステップＳ３−４において「ＹＥＳ」の場合）、ユーザ端末４０は、カード種類の特定処理を実行する（ステップＳ３−６）。これにより、カード媒体１０とユーザ端末４０とを所持している者がカード種類を変更することができる。従って、２つのハードウェアを用いることにより、セキュリティの向上を図ることができる。
【００６４】
（５）本実施形態においては、カード識別子が一致せず、認証できないと判定した場合（ステップＳ３−３において「ＮＯ」の場合）、ユーザ端末４０は、注意喚起処理を実行し（ステップＳ３−４）、カード媒体１０にメッセージを出力する（ステップＳ３−５）。これにより、カード媒体１０の利用可否を券面上で判定することができる。
【００６５】
＜第３の実施形態＞
次に、図８に従って、第３の実施形態を説明する。上記第１の実施形態においては、操作部１６を用いて、カード種類を変更した。第３の実施形態においては、カードリーダからのアクセス時に、カードリーダの種別に応じてカード種類を特定する場合を想定する。ここでは、交通機関の改札口に設置されている自動改札装置５０のカードリーダを用いる場合を説明する。この場合、カード管理メモリ１２に記録された個別カード情報には、カードを利用できるカードリーダ種別に関するデータを記録しておく。更に、個別カード情報に関連付けて、ユーザの希望に応じて、カード利用の優先順位に関するデータを記録しておく。
【００６６】
次に、図８を用いて、カード利用処理の処理手順を説明する。
（カード利用処理）
まず、カード媒体１０の制御部１１は、アクセス検知処理を実行する（ステップＳ４−１）。具体的には、制御部１１は、アンテナ１８を介して、自動改札装置５０のカードリーダからアクセス情報を取得する。このアクセス情報には、カードリーダ種別（自動改札装置５０）に関するデータが含まれる。
【００６７】
次に、カード媒体１０の制御部１１は、カード種類の特定処理を実行する（ステップＳ４−２）。具体的には、制御部１１は、カード管理メモリ１２を用いて、アクセス情報に含まれるカードリーダ種別に基づいて、自動改札装置５０において利用可能なカード種類を特定する。
【００６８】
次に、カード媒体１０の制御部１１は、利用可能なカードが複数かどうかについての判定処理を実行する（ステップＳ４−３）。具体的には、制御部１１は、カード管理メモリ１２から抽出した利用可能なカード種類の数が複数かどうかを判定する。
【００６９】
利用可能なカードが複数あると判定した場合（ステップＳ４−３において「ＹＥＳ」の場合）、カード媒体１０の制御部１１は、優先するカード種類の特定処理を実行する（ステップＳ４−４）。具体的には、制御部１１は、カード管理メモリ１２において、個別カード情報に関連付けられた優先順位が高いカード種類を特定する。
【００７０】
一方、利用可能なカードが複数でないと判定した場合（ステップＳ４−３において「ＮＯ」の場合）、カード媒体１０の制御部１１は、優先するカード種類の特定処理（ステップＳ４−４）をスキップする。
【００７１】
次に、カード媒体１０の制御部１１は、カード情報の送信処理を実行する（ステップＳ４−５）。具体的には、制御部１１は、特定した個別カード情報に含まれるＩＣ保持情報を、アンテナ１８を介して、自動改札装置５０のカードリーダに送信する。
次に、カード媒体１０の制御部１１は、ステップＳ２−４と同様に、券面変更処理を実行する（ステップＳ４−６）。
【００７２】
本実施形態によれば、以下のような効果を得ることができる。
（６）本実施形態においては、カード媒体１０の制御部１１は、アクセス検知処理（ステップＳ４−１）、カード情報の送信処理（ステップＳ４−５）を実行する。これにより、利用場面に応じて、ユーザの操作負担を軽減しながら、カードを利用することができる。
【００７３】
（７）本実施形態においては、利用可能なカードが複数あると判定した場合（ステップＳ４−３において「ＹＥＳ」の場合）、カード媒体１０の制御部１１は、優先するカード種類の特定処理を実行する（ステップＳ４−４）。これにより、ユーザの希望に応じて、優先的に利用するカードを指定することができる。
【００７４】
なお、上記各実施形態は以下のように変更してもよい。
・上記各実施形態では、カード登録端末３０は、ネットワークを介して、管理サーバ２０に接続される。このカード登録端末３０は、専用機に限定されるものではなく、カード媒体１０のカード管理メモリ１２の書き換えを行なうことができる端末を用いることができる。例えば、カードライタを備えたスマートフォン端末やＰＣ端末を利用することも可能である。
【００７５】
・上記各実施形態では、管理サーバ２０の制御部２１は、ユーザ認証処理を実行する（ステップＳ１−４）。ここで、ユーザ認証処理を実行することなく、カード登録端末３０において読み取ったカード識別子に基づいて、ダウンロード処理（ステップＳ１−６）を実行するようにしてもよい。
【００７６】
・上記各実施形態では、ユーザ認証完了通知を取得したカード登録端末３０は、カードアクセス処理を実行する（ステップＳ１−５）。ここで、カード登録端末３０において、ユーザコード、パスワードの入力時に、カードアクセス処理（ステップＳ１−５）を実行するようにしてもよい。この場合には、カード登録端末３０は、管理サーバ２０に送信する登録依頼に、ユーザコード、パスワード、カード識別子に関するデータを含める。
【００７７】
・上記第１の実施形態では、カード媒体１０の制御部１１は、ユーザ操作の検知処理（ステップＳ２−１）、カード種類の特定処理（ステップＳ２−２）を実行する。カード種類の特定方法は、操作部１６において、ユーザの操作を検知した場合に行なえばよい。例えば、操作部１６を２箇所の圧力センサを用いて構成するようにしてもよい。
また、カード種類変更用のツールを用いるようにしてもよい。そして、このツールを用いての操作を操作部１６が検知した場合に、ユーザ操作の検知処理（ステップＳ２−１）を実行する。例えば、ツールとして、特定の位置にマグネットを配置した専用マグネットカードを用いる。そして、操作部１６として磁力検知センサを用いる。カード種類を変更する場合には、カード媒体１０と専用マグネットカードとを重ね合わせる。そして、磁力検知センサが専用マグネットカードの磁力を検知した場合、ユーザ操作の検知処理（ステップＳ２−１）を実行する。操作のためのツールを用いることにより、誤操作を抑制することができる。
【００７８】
・上記第１の実施形態では、カード媒体１０の制御部１１は、カード種類の特定処理を実行する（ステップＳ２−２）。この場合、制御部１１は、カード管理メモリ１２を用いて、カレントカードの次に記録されているカード種類（個別カード情報）を特定する。ここで、利用頻度に応じて、次のカード種類を特定するようにしてもよい。この場合には、カード管理メモリ１２において、各カード種類の利用回数を、個別カード情報に関連付けて記録する。そして、利用回数が多い順番に、次のカード種類を特定する。これにより、利用頻度に応じて、利用の可能性が高いカードを優先的に特定することができる。
【００７９】
また、カードを利用した時期に基づいて、次のカードを特定するようにしてもよい。この場合には、カード管理メモリ１２において、各カード種類の利用日時を、個別カード情報に関連付けて記録する。そして、利用日時が遅い順番に、次のカード種類を特定する。これにより、利用時期に応じて、利用の可能性が高いカードを優先的に特定することができる。
【００８０】
次に、上記実施形態及び別例から把握できる技術的思想について以下に追記する。
〔ａ〕ディスプレイと、
複数種類のカードのカード番号表示を含む表面画像及びセキュリティコード表示を含む裏面画像からなる券面画像を含む個別カード情報を記憶したメモリと、
カード発行機関から発行されている通常カードに対応した位置に配置された外部インターフェースに接続された制御部を備えたカード媒体であって、
前記ディスプレイは、前記外部インターフェースの周囲を囲み、前記外部インターフェース以外の全面領域に配置されており、表面側の第１ディスプレイと、裏面側の第２ディスプレイから構成され、
前記制御部が、
利用対象のカード種類を特定し、
前記外部インターフェースを介して、前記カード種類の個別カード情報を出力する場合、前記個別カード情報の表面画像を前記第１ディスプレイに表示し、前記個別カード情報の裏面画像を前記第２ディスプレイに出力することを特徴とするカード媒体。
〔ｂ〕更に操作部を備え、前記操作部を用いて指定されたカード種類を特定することを特徴とする〔ａ〕に記載のカード媒体。
〔ｃ〕
前記カード媒体と通信手段を介して接続されたユーザ端末において指定されたカード種類に関する情報を取得することを特徴とする〔ａ〕又は〔ｂ〕に記載のカード媒体。
〔ｄ〕前記個別カード情報に関連付けて、利用回数を記録しておき、
利用回数が多いカード種類の優先順位を高くすることを特徴とする〔ａ〕〜〔ｃ〕のいずれか一項に記載のカード媒体。
〔ｅ〕ディスプレイと、
複数種類のカードのカード番号表示を含む表面画像及びセキュリティコード表示を含む裏面画像からなる券面画像を含む個別カード情報を記憶したメモリと、
カード発行機関から発行されている通常カードに対応した位置に配置された外部インターフェースに接続された制御部を備えたカード媒体を用いたカード利用処理方法であって、
前記ディスプレイは、前記外部インターフェースの周囲を囲み、前記外部インターフェース以外の全面領域に配置されており、表面側の第１ディスプレイと、裏面側の第２ディスプレイから構成され、
前記制御部が、
利用対象のカード種類を特定し、
前記外部インターフェースを介して、前記カード種類の個別カード情報を出力する場合、前記個別カード情報の表面画像を前記第１ディスプレイに表示し、前記個別カード情報の裏面画像を前記第２ディスプレイに出力することを特徴とするカード利用処理方法。
【符号の説明】
【００８１】
１０…カード媒体、１１…制御部、１２…カード管理メモリ、１３…電源、１４…ＩＣチップ電極、１５…磁気ストライプ、１６…操作部、１７…券面ディスプレイ、１８…アンテナ、１０１…第１ディスプレイ、１０２…第２ディスプレイ、１０３…中間層、２０…管理サーバ、２１…制御部、２２…ユーザ情報記憶部、２３…カード情報記憶部、３０…カード登録端末、４０…ユーザ端末、５０…自動改札装置、Ｃ１…カード発行機関サーバ。
【図１】
2019139811.tif 000003
【図２】
2019139811.tif 000004
【図３】
2019139811.tif 000005
【図４】
2019139811.tif 000006
【図５】
2019139811.tif 000007
【図６】
2019139811.tif 000008
【図７】
2019139811.tif 000009
【図８】
2019139811.tif 000010
【手続補正書】
【提出日】令和1年6月5日(2019.6.5)
【手続補正１】
【補正対象書類名】特許請求の範囲
【補正対象項目名】請求項１
【補正方法】変更
【補正の内容】
【請求項１】
ディスプレイと、
カード種類を特定するために押下可能な操作ボタンと、
複数種類のカードのＩＣ保持情報、磁気ストライプ保持情報、カード番号情報を含む個別カード情報を記憶したメモリと、
カード発行機関から発行されている通常カードに対応した位置に配置されたＩＣチップ電極及び磁気ストライプ領域に接続された制御部を備えたカード媒体であって、
前記制御部が、
前記操作ボタンを用いて選択された利用対象のカード種類を特定し、
前記選択されたカード種類のカード番号情報を前記ディスプレイに出力し、
前記ＩＣチップ電極を介して、前記選択されたカード種類のＩＣ保持情報を出力するとともに、前記磁気ストライプ領域を介して、前記選択されたカード種類の磁気ストライプ保持情報を出力することを特徴とするカード媒体。
【手続補正２】
【補正対象書類名】特許請求の範囲
【補正対象項目名】請求項２
【補正方法】変更
【補正の内容】
【請求項２】
前記メモリは、更にセキュリティコード情報を記憶し、
前記選択されたカード種類のセキュリティコード情報を前記ディスプレイに出力することを特徴とする請求項１に記載のカード媒体。
【手続補正３】
【補正対象書類名】特許請求の範囲
【補正対象項目名】請求項５
【補正方法】変更
【補正の内容】
【請求項５】
ディスプレイと、
カード種類を特定するために押下可能な操作ボタンと、
複数種類のカードのＩＣ保持情報、磁気ストライプ保持情報、カード番号情報を含む個別カード情報を記憶したメモリと、
カード発行機関から発行されている通常カードに対応した位置に配置されたＩＣチップ電極及び磁気ストライプ領域に接続された制御部を備えたカード媒体を用いたカード利用処理方法であって、
前記制御部が、
前記操作ボタンを用いて選択された利用対象のカード種類を特定し、
前記選択されたカード種類のカード番号情報を前記ディスプレイに出力し、
前記ＩＣチップ電極を介して、前記選択されたカード種類のＩＣ保持情報を出力するとともに、前記磁気ストライプ領域を介して、前記選択されたカード種類の磁気ストライプ保持情報を出力することを特徴とするカード利用処理方法。